(57)【要約】【課題】事前に機器の設定や遠隔操作の手続きを行うことなく、遠隔地の放送番組受信装置を操作することなくチャンネル設定を行う方法を提供する。【解決手段】送信側の放送番組受信装置１０１はチャンネル操作が行われると、その放送番組を放送している放送局を判別する放送局情報６０１を宅内にブロードキャストで送信する。受信側の放送番組受信装置１０２は、放送局情報６０１を受信した時、自身の状態が待機状態であった場合は、チャンネルの設定を行い、装置の状態が稼動状態であった場合は、その情報を無視する。また、一定時間ごとに、現在のチャンネル状態である放送局情報６０２、６０３、６０４を再送する。これにより、ユーザーは機器の設定や遠隔操作の手続きを行うことなく、送信側の放送番組受信装置１０１で視聴中である放送番組を、受信側の放送番組受信装置１０２でもそのまま視聴することができる。【選択図】図６
2007096618.tif 000002
【特許請求の範囲】
【請求項１】
放送番組を受信する第１の放送番組受信装置と、第２の放送番組受信装置を備えた放送番組受信システムであって、
前記第１の放送番組受信装置は、選択中のチャンネルを一意に示す情報を作成して、前記第２の放送番組受信装置に送信し、
前記第２の放送番組受信装置は、前記第１の放送番組受信装置より前記選択中のチャンネルを一意に示す情報を受信し、前記選択中のチャンネルを一意に示す情報で示されるチャンネルを選択することを特徴とする放送番組受信システム。
【請求項２】
前記第１の放送番組受信装置は、
前記選択中のチャンネルを一意に示す情報を、所定の時間毎に送信することを特徴とする請求項１記載の放送番組受信システム。
【請求項３】
前記第１の放送番組受信装置は、
チャンネル変更の操作を受けた場合、前記選択中のチャンネルを一意に示す情報を送信することを特徴とする請求項１記載の放送番組受信システム。
【請求項４】
前記第１の放送番組受信装置は、
放送番組を受信する状態から放送番組を受信しない状態に移行する場合、前記選択中のチャンネルを一意に示す情報を送信することを特徴とする請求項１記載の放送番組受信システム。
【請求項５】
前記第２の放送番組受信装置は、
放送番組を受信しない状態にある場合のみ、前記選択中のチャンネルを一意に示す情報で示されるチャンネルを選択することを特徴とする請求項１記載の放送番組受信システム。
【請求項６】
前記第１の放送番組受信装置と前記第２の放送番組受信装置は、ＩＰネットワークで接続され、前記チャンネルを一意に示す情報をブロードキャストを用いて送受信することを特徴とする請求項１から請求項５に記載の放送番組受信システム。
【請求項７】
請求項１から請求項６いずれか記載の放送番組受信システムを構成する第１の放送番組受信装置。
【請求項８】
請求項１から請求項６いずれか記載の放送番組受信システムを構成する第２の放送番組受信装置。
【請求項９】
放送番組を受信する前記第１の放送番組受信装置と、前記第１の放送番組受信装置に接続された前記第２の放送番組受信装置において、前記第１の放送番組受信装置は、前記選択中のチャンネルを一意に示す情報を作成して、前記第２の放送番組受信装置に送信し、前記第２の放送番組受信装置は、前記選択中のチャンネルを一意に示す情報を受信し、前記選択中のチャンネルを一意に示す情報で示されるチャンネルを選択することを特徴とする放送番組受信方法。
【請求項１０】
前記第２の放送番組受信装置は、放送番組を受信しない状態にある場合のみ、前記選択中のチャンネルを一意に示す情報で示されるチャンネルを選択することを特徴とする請求項９記載の放送番組受信方法。
【請求項１１】
前記第１の放送番組受信装置は、放送番組を受信する状態から放送番組を受信しない状態に移行する場合、前記選択中のチャンネルを一意に示す情報を前記第２の放送番組受信装置へ送信することを特徴とする請求項９および請求項１０に記載の放送番組受信方法。
【請求項１２】
前記第１の放送番組受信装置は、チャンネル変更の操作を受けた場合、前記選択中のチャンネルを一意に示す情報を前記第２の放送番組受信装置へ送信することを特徴とする請求項９および請求項１０に記載の放送番組受信方法。
【請求項１３】
前記第１の放送番組受信装置は、前記選択中のチャンネルを一意に示す情報を所定の時間毎に前記第２の放送番組受信装置へ送信することを特徴とする請求項９および請求項１０に記載の放送番組受信方法。
【請求項１４】
前記第１の放送番組受信装置と前記第２の受信装置は、ＩＰネットワークで接続され、前記チャンネルを一意に示す情報をブロードキャストを用いて送受信することを特徴とする請求項９に記載の放送番組受信方法。
【発明の詳細な説明】
【技術分野】
【０００１】
本発明は、放送番組受信装置で視聴中のチャンネルと同じチャンネルに、通信網上の他の放送番組受信装置のチャンネルを自動で変更するシステムおよび方法に関するものである。
【背景技術】
【０００２】
従来、放送番組を受信するためには、テレビなどの放送番組受信装置が広く用いられている。これらの放送番組受信装置を操作するには、リモコンによる遠隔操作のほかに、外出先からインターネットを介して遠隔操作する方法が提案されている。この方法によれば、隣の部屋や外出先から携帯電話などの操作端末を使用することにより、操作内容に応じた操作を放送番組受信装置に対して行うことができる。
【０００３】
このような遠隔操作の方法に対応した放送番組受信装置について、図１０、図１１を用いて説明する。
【０００４】
図１０は、放送番組受信装置と遠隔操作端末の設置環境を示す図である。
【０００５】
図１０のように通信網１００３を介して外出先の端末である遠隔操作端末１００１と、自宅に設置されている放送番組受信装置１００２とが接続されており、通信が行える状態にあるとする。
【０００６】
例えば、外出先の端末である遠隔操作端末１００１は、ユーザーの操作によりチャンネルの変更情報を作成し、通信網１００３を介して放送番組受信装置１００２へ、そのチャンネル変更情報を送信することができるようになっている。放送番組受信装置１００２は受信したチャンネルの変更情報に応じて、受信するチャンネルを変更する。
【０００７】
図１１は、従来技術における、遠隔操作に対応した放送番組受信装置１００２の構成を示すブロック図である。放送番組受信装置１００２は、チャンネル操作を受け取る機器操作受信部１１０１、放送番組を受信する放送受信部１１０３、放送番組を表示する映像表示部１１０４、ネットワーク通信を行うネットワーク受信部１１０７で構成されている。
【０００８】
機器操作受信部１１０１は、リモコンなどによりチャンネル変更情報を受け取ると、新しいチャンネルの情報を放送受信部１１０３に送信する。また、ネットワーク受信部１１０７は、通信網１００３であるネットワークからチャンネル変更情報を受信すると、その新しいチャンネルの情報を放送受信部１１０３に送信する。放送受信部１１０３は、アンテナ１１０９より受信する放送信号の中から、機器操作受信部１１０１およびネットワーク受信部１１０７から受け取ったチャンネルの情報に対応する番組を映像表示部１１０４に出力し、映像表示部１１０４は放送受信部１１０３より受信した番組をモニタなどに表示する。
【０００９】
上記の構成によれば、外出先などからのネットワークを介して自宅の放送番組受信装置を遠隔操作することができる。外出先からの遠隔操作に関しては、特許文献１または特許文献２などが開示されている。
【００１０】
これらの発明によれば、遠隔操作端末の機能を備えた自動車搭載型の放送番組受信機を用い、ボタンひとつで視聴中の番組を自宅受信機に収録することができる。
【特許文献１】特開２００１−０９５８３５号公報
【特許文献２】特開２００１−１２０３３７号公報
【発明の開示】
【発明が解決しようとする課題】
【００１１】
しかしながら、遠隔操作の手段を用いて他の放送番組受信装置のチャンネル設定を行うには、ユーザーが手作業で放送番組受信装置を遠隔操作するか、ボタンひとつを押すことで、予め登録してある設定項目に従ったチャンネル設定操作を自動実行させることになる。そのため、送信側の放送番組受信装置に対して、自動的に受信側の放送番組受信装置のチャンネル設定を行うことができるよう、受信側装置の指定や条件などを予め設定しなければならない。また、新たに放送番組受信装置が通信網へ接続した場合にも、手動または自動的にその装置を検出し、設定を行わなければならない。
【課題を解決するための手段】
【００１２】
本発明の放送番組受信システムは、放送番組を受信する第１の放送番組受信装置と、第２の放送番組受信装置を備えた放送番組受信システムであって、前記第１の放送番組受信装置は、選択中のチャンネルを一意に示す情報を作成して、前記第２の放送番組受信装置に送信し、前記第２の放送番組受信装置は、前記第１の放送番組受信装置より前記選択中のチャンネルを一意に示す情報を受信し、前記選択中のチャンネルを一意に示す情報で示されるチャンネルを選択することを特徴とする放送番組受信システムである。
【００１３】
かかる構成により、視聴していた番組を特別な操作なしで、他の放送番組受信装置に通知することができる。
【００１４】
また、本発明の放送番組受信システムは、前記第２の放送番組受信装置は、放送番組を受信しない状態にある場合のみ、前記選択中のチャンネルを一意に示す情報で示されるチャンネルを選択することを特徴とする放送番組受信システムである。
【００１５】
かかる構成により、通知された側の放送番組受信装置は、使用中にチャンネルを変更されることがなくなり、ユーザーにとっての利便性を向上させることができる。
【発明の効果】
【００１６】
本発明による放送番組受信装置等によれば、視聴していた番組の情報を他の放送番組受信装置に、特別な操作なしで、通知することができ、視聴中の番組を現在使用中の放送番組受信装置から他の放送番組受信装置で視聴することに変更した場合に、他の放送番組受信装置が放送番組を受信できる状態になった時点で、別の放送番組受信装置で視聴していた番組を視聴することが可能となる。
【発明を実施するための最良の形態】
【００１７】
以下、本発明の実施の形態を図面に基づいて説明する。なお、実施の形態において同じ符号を付した構成要素は同様の動作を行うので、再度の説明を省略する場合がある。
【００１８】
（実施の形態１）
図１は  本実施の形態における放送番組受信システムの設置環境の一例を示す図である。
【００１９】
図１において、請求項の第１の放送番組受信装置に相当する送信側の放送番組受信装置１０１と請求項の第２の放送番組受信装置に相当する受信側の放送番組受信装置１０２は、通信網１０３に接続され、通信網１０３を介して相互に通信を行う。
【００２０】
送信側の放送番組受信装置１０１および受信側の放送番組受信装置１０２は、電源が供給され放送番組を受信している「稼動状態」と、電源供給が停止され放送番組を受信していない「待機状態」との２種類の状態をもつ。これらの状態を変更する操作は、ユーザーが放送番組受信装置に対して電源ＯＮの操作を行うと稼動状態へ変化し、電源ＯＦＦの操作を行うと待機状態へ変化する構成となっている。
【００２１】
また、送信側の放送番組受信装置１０１および受信側の放送番組受信装置１０２は放送番組を受信することができ、ユーザーがチャンネルを変更することで、受信する放送番組を変更することができる。送信側の放送番組受信装置１０１および、受信側の放送番組受信装置１０２としては、テレビ、ラジオ、ＤＶＤレコーダなど、放送番組を受信し、チャンネル選択を行う電子機器を用いることができる。
【００２２】
通信網１０３は、送信側の放送番組受信装置１０１と受信側の放送番組受信装置１０２の間で、データの送受信を可能とするものであれば、どのようなネットワークであってもよい。例えば、ＩＰプロトコル等を用いた無線または有線のネットワークであってもよい。また、送信側の放送番組受信装置１０１と受信側の放送番組受信装置１０２との間でデータの通信が可能であれば、両者をどのように接続してもよい。例えば、ネットワークで接続する代わりに、ＩＥＥＥ１３９４やＵＳＢといったシリアルバス等を用いて接続してもよい。
【００２３】
図２は、本発明における送信側の放送番組受信装置の一構成例を示すブロック図である。
【００２４】
図２において、送信側の放送番組受信装置１０１は、ユーザーからの操作を受ける機器操作受信部２０１、チャンネル情報を管理するチャンネル管理部２０２、自身の電源供給状態を管理する電源状態管理部２０５、放送局情報を作成する放送局情報作成部２０６、ネットワーク通信を行うネットワーク送信部２０７、放送番組を受信して表示する受信表示部２０８で構成されている。さらに、受信表示部２０８は、放送番組を受信する放送受信部２０３、番組を表示する映像表示部２０４で構成されている。
【００２５】
機器操作受信部２０１は、リモコンなどにより、ユーザーからの操作指示を受け、その内容を判定する。操作指示内容がチャンネルの変更であった場合には、要求されたチャンネルを識別するチャンネル情報を作成し、チャンネル管理部２０２に対して送信する。チャンネル情報は、チャンネル名、チャンネル番号など、チャンネルを一意に識別できるものであればよい。また、操作指示内容が電源供給操作である電源ＯＦＦの操作であった場合には、電源状態管理部２０５に対し電源供給状態変更要求として待機状態要求を送信する。また、操作指示内容が電源供給操作である電源ＯＮの操作であった場合には、電源状態管理部２０５に対し電源供給状態変更要求として稼動状態要求を送信する。機器操作受信部２０１は、ＭＰＵ（ｍｉｃｒｏ  ｐｒｏｃｅｓｓｉｎｇ  ｕｎｉｔ）およびメモリや、赤外線やレーザ光の受光部、ＩＣカードリーダー、有線や無線通信の受信機等で実現され得る。
【００２６】
チャンネル管理部２０２は、機器操作受信部２０１からチャンネル情報を受け取り、現在のチャンネル情報として受け取ったチャンネル情報を蓄積すると共に、放送受信部２０３および放送局情報作成部２０６へ送信する。チャンネル管理部２０２は、例えば、１５分のような一定時間ごとに、蓄積しているチャンネル情報を読み込み、放送局情報作成部２０６へ送信する。なお、この１５分ごとにチャンネル情報を送信する仕組みは、放送番組のＣＭからＣＭまでの時間が１５分程度であり、１５分間はチャンネル操作されないことが期待されているためであり、１５分に限定されるものではない。チャンネル管理部２０２は、ＭＰＵやメモリから実現され得る。また、チャンネル管理部２０２の処理手順は、例えば、ソフトウェアで実現され、当該ソフトウェアはＲＯＭ等の記録媒体に記録されている。但し、専用回路等のハードウェアで実現しても良い。
【００２７】
放送受信部２０３は、アンテナ２０９より受信した放送信号の中から、チャンネル管理部２０２から受け取ったチャンネル情報に該当する放送番組を選択して、映像表示部２０４に出力する。
【００２８】
映像表示部２０４は、ディスプレイ等の表示デバイスを含むと考えても含まないと考えてもよい。映像表示部２０４は、表示デバイスを含まない場合、放送受信部２０３から受け取った放送番組の信号を外部の表示デバイス等に送信するようにしてもよい。表示デバイスは、例えば、プラズマディスプレイや、液晶ディスプレイ、プロジェクター等である。映像表示部２０４は、表示デバイスのドライバーソフトまたは、表示デバイスのドライバーソフトと表示デバイス等で実現される。
【００２９】
電源状態管理部２０５は、機器操作受信部２０１から電源供給状態変更要求を受け取ると、その要求が待機状態要求であった場合、受信表示部２０８への電源供給を停止させることにより放送番組を表示しない状態にする。また、その要求が稼動状態要求であった場合には、受信表示部２０８に電源を供給して、起動させることにより放送番組を表示できる状態にする。電源状態管理部２０５は、ＭＰＵやメモリから実現され得る。また、電源状態管理部２０５の処理手順は、例えば、ソフトウェアで実現され、当該ソフトウェアはＲＯＭ等の記録媒体に記録されている。但し、専用回路等のハードウェアで実現しても良い。
【００３０】
放送局情報作成部２０６は、チャンネル管理部２０２からのチャンネル情報を受け取り、チャンネル情報からその放送局名を調べて放送局情報を作成し、ネットワーク送信部２０７へ送信する。放送局情報として、本実施の形態では、放送番組を放送している放送局を識別できる情報とするが、放送局情報としては、放送局名の他、チャンネル番号、放送局固有の番号、放送局を示すコールサインなどを用いることができる。放送局情報作成部２０６は、ＭＰＵやメモリから実現され得る。また、放送局情報作成部２０６の処理手順は、例えば、ソフトウェアで実現され、当該ソフトウェアはＲＯＭ等の記録媒体に記録されている。但し、専用回路等のハードウェアで実現しても良い。
【００３１】
ネットワーク送信部２０７は、放送局情報作成部２０６から放送局情報を受け取り、通信網１０３に出力する。ネットワーク送信部２０７は、モデムやネットワークカードなどの送信を行うための送信デバイスを含んでもよく、あるいは含まなくてもよい。また、ネットワーク送信部２０７は、ハードウェアによって実現されてもよく、あるいは送信デバイスを駆動するドライバ等のソフトウェアによって実現されてもよい。送信は、ＬＡＮ等の通信手段、赤外線による通信、ブルートゥース（登録商標）等の近距離無線通信手段、或いは電子メール送信手段等により実現される。
【００３２】
次に、送信側の放送番組受信装置１０１の動作について、図３のフローチャートを用いて説明する。
【００３３】
（ステップＳ３０１）機器操作受信部２０１は、ユーザーから受信した操作指示内容がチャンネルの変更であるか否かを判定する。チャンネルの変更である場合は、ステップＳ３０４へ進み、それ以外である場合は、ステップＳ３０２に進む。
【００３４】
（ステップＳ３０２）機器操作受信部２０１は、ユーザーから受信した操作指示内容が電源ＯＦＦの操作であるか否かを判定する。電源ＯＦＦの操作である場合は、ステップＳ３０８へ進み、それ以外である場合は、ステップＳ３０３へ進む。
【００３５】
（ステップＳ３０３）機器操作受信部２０１は、ユーザーから受信した操作指示内容が電源ＯＮの操作であるか否かを判定する。電源ＯＮの操作である場合は、ステップＳ３１０へ進み、それ以外である場合は、対応する処理を行い、ステップＳ３０１へ戻る。
【００３６】
（ステップＳ３０４）機器操作受信部２０１はユーザーから受信した情報より、チャンネルネル情報を作成し、作成したチャンネル情報を蓄積すると共に、放送受信部２０３、放送局情報作成部２０６へ送信する。
【００３７】
（ステップＳ３０５）放送受信部２０３は受信したチャンネル情報に対応する放送番組を選択し、映像表示部２０４に出力し、映像表示部２０４は受信した放送番組を表示する。
【００３８】
（ステップＳ３０６）放送局情報作成部２０６は、受信したチャンネル情報より放送局情報を作成し、ネットワーク送信部２０７に出力する。
【００３９】
（ステップＳ３０７）ネットワーク送信部２０７は放送局情報を受信側の放送番組受信装置１０２に対して送信する。なお、この送信は、送信相手を特定した一対一のユニキャストの送信であってもよいし、一対多のマルチキャストの送信であってもよいし、送信相手を特定しないブロードキャストによる送信であってもよい。ステップＳ３０１へ戻る。
【００４０】
（ステップＳ３０８）機器操作受信部２０１は、電源状態管理部２０５に対して、電源供給状態変更要求として、待機状態要求を送信する。
【００４１】
（ステップＳ３０９）電源状態管理部２０５は、電源供給状態変更要求として、待機状態要求を受け取ると、受信表示部２０８への電源供給を停止させる。ステップＳ３０１へ戻る。
【００４２】
（ステップＳ３１０）機器操作受信部２０１は、電源状態管理部２０５に対して、電源供給状態変更要求として、稼動状態要求を送信する。
【００４３】
（ステップＳ３１１）電源状態管理部２０５は、電源供給状態変更要求として、待機状態要求を受け取ると、受信表示部２０８への電源供給を供給し、起動させる。ステップＳ３０１へ戻る。
【００４４】
図４は、本発明における受信側の放送番組受信装置の一構成例を示すブロック図である。
【００４５】
図４において、放送番組受信装置１０２は、ユーザーからの操作を受ける機器操作受信部２０１、チャンネル情報を管理するチャンネル管理部４０２、放送番組を受信する放送受信部２０３、映像を表示する映像表示部２０４、受信側の放送番組受信装置１０２の状態を管理する電源状態管理部４０５、放送局情報からチャンネル情報を作成する放送局情報読取部４０６、ネットワーク通信を行うネットワーク受信部４０７で構成されている。なお、図４において、図２と同じ構成要素については、同じ符号を付与し、詳細な説明を省略する。
【００４６】
機器操作受信部２０１は、リモコンなどにより、ユーザーからの操作指示を受ける。操作指示内容がチャンネルの変更であった場合には、要求されたチャンネルを識別するチャンネル情報を作成し、チャンネル管理部４０２に対して送信する。チャンネル情報は、チャンネル名、チャンネル番号など、チャンネルを一意に識別できるものであればよい。また、操作指示内容が電源ＯＦＦの操作であった場合には、電源状態管理部４０５に対し電源供給状態変更要求として待機状態要求を送信する。また、状態内容が電源ＯＮの操作であった場合は、チャンネル管理部４０２に電源状態管理部４０５に対し電源供給状態変更要求として稼動状態要求を送信すると共に、チャンネル情報送信要求を送信する。機器操作受信部２０１は、ＭＰＵ（ｍｉｃｒｏ  ｐｒｏｃｅｓｓｉｎｇ  ｕｎｉｔ）およびメモリや、赤外線やレーザ光の受光部、ＩＣカードリーダー、有線や無線通信の受信機等で実現され得る。
【００４７】
チャンネル管理部４０２は、機器操作受信部２０１からのチャンネル情報を受け取り、この情報を蓄積し、受け取ったチャンネル情報を放送受信部２０３へ送信する。また、チャンネル管理部４０２は、放送局情報読取部４０６からチャンネル情報を受け取ると、電源状態管理部４０５に対して受信表示部２０８の電源供給状態の通知要求を行う。チャンネル管理部４０２は電源状態管理部４０５より電源供給状態の通知が行われた時、その通知された状態が待機状態である場合、このチャンネル情報を蓄積する。チャンネル管理部４０２は、ＭＰＵやメモリから実現され得る。また、チャンネル管理部４０２の処理手順は、例えば、ソフトウェアで実現され、当該ソフトウェアはＲＯＭ等の記録媒体に記録されている。但し、専用回路等のハードウェアで実現しても良い。
【００４８】
電源状態管理部４０５は機器操作受信部２０１から電源供給状態変更要求を受け取ると、その要求が待機状態要求であった場合、受信表示部２０８への電源供給を停止し、待機状態であることを示す電源供給状態情報を蓄積する。電源供給状態変更要求が稼動状態要求であった場合は、受信表示部２０８に電源を供給して起動させ、稼動状態であることを示す電源供給状態情報を蓄積する。また、チャンネル管理部４０２より電源供給状態の通知要求があった場合は、蓄積している電源供給状態情報を呼び出し、電源供給状態の通知としてチャンネル管理部４０２へ送信する。電源状態管理部４０５は、ＭＰＵやメモリから実現され得る。また、電源状態管理部４０５の処理手順は、例えば、ソフトウェアで実現され、当該ソフトウェアはＲＯＭ等の記録媒体に記録されている。但し、専用回路等のハードウェアで実現しても良い。
【００４９】
放送局情報読取部４０６は、ネットワーク受信部４０７から放送局情報を受け取ると、放送局情報からチャンネル情報を作成し、チャンネル管理部４０２へ送信する。電源状態管理部４０５は、ＭＰＵやメモリから実現され得る。また、放送局情報読取部４０６の処理手順は、例えば、ソフトウェアで実現され、当該ソフトウェアはＲＯＭ等の記録媒体に記録されている。但し、専用回路等のハードウェアで実現しても良い。
【００５０】
ネットワーク受信部４０７は、通信網１０３より放送局情報を受け取り、放送局情報読取部４０６へ出力する。ネットワーク受信部４０７は、モデムやネットワークカードなどの送信を行うための送信デバイスを含んでもよく、あるいは含まなくてもよい。また、ネットワーク受信部４０７は、ハードウェアによって実現されてもよく、あるいは受信デバイスを駆動するドライバ等のソフトウェアによって実現されてもよい。受信は、ＬＡＮ等の通信手段、赤外線による通信、ブルートゥース（登録商標）等の近距離無線通信手段、或いは電子メール送信手段等により実現される。
【００５１】
次に、受信側の放送番組受信装置１０２の動作について、図５のフローチャートを用いて説明する。図５は、チャンネル管理部４０２の動作を中心に示している。
【００５２】
（ステップＳ５０１）チャンネル管理部４０２は、放送局情報を放送局情報読取部４０６から受信した場合は、ステップＳ５０２、それ以外の場合は、ステップＳ５０６へ進む。
【００５３】
（ステップＳ５０２）チャンネル管理部４０２は、電源状態管理部４０５へ電源供給状態の通知要求を行う。
【００５４】
（ステップＳ５０３）電源状態管理部４０５は、チャンネル管理部４０２より、電源供給状態の通知要求を受け取ると、蓄積している電源供給状態情報を読み出し、チャンネル管理部４０２へ電源供給状態の通知を行う。
【００５５】
（ステップＳ５０４）チャンネル管理部４０２は、電源状態管理部４０５から電源供給状態の通知を受け取り、その内容が待機状態であった場合は、ステップＳ５０５へ進み、稼動状態であった場合は、何もしない。ステップＳ５０１へ戻る。
【００５６】
（ステップＳ５０５）チャンネル管理部４０２は、放送局情報読取部４０６より受信したチャンネル情報を現在のチャンネル情報として蓄積する。ステップＳ５０１へ戻る。
【００５７】
（ステップＳ５０６）チャンネル管理部４０２が機器操作受信部２０１より、チャンネル情報送信要求を受信した場合は、ステップＳ５０７へ、それ以外の場合は、図３で示した機器操作受信部２０１と同様の動作を行う。ステップＳ５０１へ戻る。
【００５８】
（ステップＳ５０７）チャンネル管理部４０２は、機器操作受信部２０１からチャンネル情報送信要求があった場合は、蓄積しているチャンネル情報を呼び出し放送受信部２０３へ送信する。ステップＳ５０１へ戻る。
【００５９】
上記の構成に関し、その動作について図６を用いて説明する。図６は送信側の放送番組受信装置１０１と受信側の放送番組受信装置１０２における状態ごとのチャンネルの操作時の流れを示すシーケンス図である。初期状態においては、受信側の放送番組受信装置１０２は待機状態（電源ＯＦＦ状態）にあるとする。
【００６０】
最初に、送信側の放送番組受信装置１０１において、チャンネル操作が行われたとする。この時、送信側の放送番組受信装置１０１においては、機器操作受信部２０１は受信したチャンネル情報をチャンネル管理部２０２に送信し、チャンネル管理部２０２は受け取ったチャンネル情報を蓄積するとともに、放送局情報作成部２０６へ渡す。放送局情報作成部２０６は、チャンネル管理部２０２から受け取ったチャンネル情報より、放送局情報を作成し、ネットワーク送信部２０７は、作成された放送局情報を受信側の放送番組受信装置１０２に対して放送局情報６０１として送信する。
【００６１】
受信側の放送番組受信装置１０２においては、送信側の放送番組受信装置１０１より送信された放送局情報６０１をネットワーク受信部４０７で受信し、放送局情報読取部４０６により、放送局情報からチャンネル情報を取り出し、チャンネル管理部４０２に渡す。チャンネル管理部４０２は、電源状態管理部４０５を用いて、受信表示部２０８の状態を調べる。この場合、受信表示部２０８が待機状態にあるため、放送局情報読取部４０６より受信したチャンネル情報を蓄積する。
【００６２】
以降、所定の時間毎に、送信側の放送番組受信装置１０１より、受信側の放送番組受信装置１０２に対して、放送局情報６０２、放送局情報６０３が送信される。この場合、放送局情報６０２、放送局情報６０３は、放送局情報６０１と同一の情報である。従って、受信側の放送番組受信装置１０２では、同様の動作を行うことにより、受信表示部２０８が待機状態にあるため、チャンネル設定を蓄積する。
【００６３】
ここで、受信側の放送番組受信装置１０２において、電源ＯＮの操作が行われた場合、機器操作受信部２０１において電源状態管理部４０５に対して電源供給状態変更要求を送信し、電源状態管理部４０５は受信表示部２０８に電源を供給して稼動状態へ変移させる。この時、機器操作受信部２０１は、チャンネル管理部４０２へチャンネル情報送信要求を送信する。チャンネル管理部４０２は、機器操作受信部２０１よりチャンネル情報送信要求を受信すると、蓄積しているチャンネル情報を放送受信部２０８へ送信する。これらの動作により、電源ＯＮの操作が行われた場合、受信側の放送番組受信装置１０２が表示するチャンネルと、送信側の放送番組受信装置１０１で表示しているチャンネルが同じチャンネルとなる。
【００６４】
受信側の放送番組受信装置１０２が稼動状態の場合、送信側の放送番組受信装置１０１より送信された放送局情報６０４や放送局情報６０５も同様にネットワーク受信部４０７で受信し、放送局情報読取部４０６により、チャンネル情報を取り出し、チャンネル管理部４０２に渡す。チャンネル管理部４０２は、電源状態管理部４０５を用いて、受信表示部２０８の状態を調べるが、受信表示部２０８が稼動状態にあるため、この放送局情報６０４および放送局情報６０５は無視され、チャンネル設定の変更は行わない。
【００６５】
このように、本実施の形態によれば、送信側の放送局情報受信装置１０１においてチャンネル変更があると、その放送番組を放送する放送局を識別できる放送局情報を作成し、通信網１０３を介して受信側の放送番組受信装置１０２へ送信することができる。また、受信側の放送番組視聴装置１０２において通信網１０３からのチャンネル変更情報を受信すると、電源の状態が待機状態であった場合にチャンネル情報が更新される。これにより、ユーザーが送信側の放送番組受信装置で視聴中だった放送番組を、受信側の放送番組受信装置でもそのまま視聴することができる。
【００６６】
（実施の形態２）
実施の形態１においては、送信側の放送番組受信装置より所定の時間毎に放送局情報を受信側の放送番組受信装置に対して送信したが、本実施の形態では、送信側の放送番組受信装置が待機状態に変更する場合にのみ送信する場合について説明する。
【００６７】
図７は、本実施の形態における送信側の放送番組受信装置の一構成例を示すブロック図である。
【００６８】
図７において、送信側の送受信装置７００は、ユーザーからの操作を受ける機器操作受信部７０１、チャンネル情報を管理するチャンネル管理部２０２、自身の電源供給状態を管理する電源状態管理部２０５、放送局情報を作成する放送局情報作成部７０６、ネットワーク通信を行うネットワーク送信部２０７、放送番組を受信して表示する受信表示部２０８で構成されている。さらに、受信表示部２０８は、放送番組を受信する放送受信部２０３、番組を表示する映像表示部２０４で構成されている。なお、図７において、図２と同じ構成要素については、同じ符号を付与し、詳細な説明を省略する。
【００６９】
機器操作受信部７０１は、ユーザーからの機器操作を受信し、その内容を判定する。機器操作受信部７０１は、ユーザーからの操作内容が電源ＯＦＦの操作であった場合は、電源状態管理部２０５に対し電源供給状態変更要求として待機状態要求を送信すると共に、放送局情報作成部７０６へ放送局情報送信要求を送信する。機器操作受信部７０１は、ＭＰＵおよびメモリや、赤外線やレーザ光の受光部、ＩＣカードリーダー、有線や無線通信の受信機等で実現され得る。
【００７０】
放送局情報作成部７０６は、チャンネル管理部２０２からのチャンネル情報を受け取ると、チャンネル情報からその放送局名を調べて放送局情報を作成し、作成した放送局情報を蓄積する。また、機器操作受信部７０１より放送局情報送信要求を受け取った場合、蓄積している放送局情報を読み出し、ネットワーク送信部２０７へ送信する。放送局情報作成部７０６は、ＭＰＵやメモリから実現され得る。また、放送局情報作成部７０６の処理手順は、例えば、ソフトウェアで実現され、当該ソフトウェアはＲＯＭ等の記録媒体に記録されている。但し、専用回路等のハードウェアで実現しても良い。
【００７１】
次に、送信側の放送番組受信装置７００の動作について、図８のフローチャートを用いて説明する。
【００７２】
（ステップＳ８０１）機器操作受信部７０１は、ユーザーから受信した操作指示内容がチャンネルの変更であるか否かを判定する。チャンネルの変更である場合は、ステップＳ８０３へ進み、それ以外である場合は、ステップＳ８０２に進む。
【００７３】
（ステップＳ８０２）機器操作受信部７０１は、ユーザーから受信した操作指示内容が電源ＯＦＦの操作であるか否かを判定する。電源ＯＦＦの操作である場合は、ステップＳ８０５へ進み、それ以外である場合は、ステップＳ３０３以降と同様の動作を行い、ステップＳ８０１へ戻る。
【００７４】
（ステップＳ８０３）機器操作受信部７０１はユーザーから受信した情報より、チャンネルネル情報を作成し、作成したチャンネル情報を蓄積すると共に、放送受信部２０３、放送局情報作成部７０６へ送信する。
【００７５】
（ステップＳ８０４）放送局情報作成部７０６は、受信したチャンネル情報より放送局情報を作成し、作成した放送局情報を蓄積する。以降、ステップＳ３０５以降と同様の動作を行い、ステップＳ８０１へ戻る。
【００７６】
（ステップＳ８０５）機器操作受信部７０１は、放送局情報作成部７０６に対して、放送局情報送信要求を送信する。
【００７７】
（ステップＳ８０６）放送局情報作成部７０６は、受信したチャンネル情報より放送局情報を作成し、ネットワーク送信部２０７に出力する。
【００７８】
（ステップＳ８０７）ネットワーク送信部２０７は放送局情報を受信側の放送番組受信装置１０２に対して送信する。なお、この送信は、送信相手を特定した一対一のユニキャストの送信であってもよいし、一対多のマルチキャストの送信であってもよいし、送信相手を特定しないブロードキャストによる送信であってもよい。その後、ステップＳ３０８以降と同様の動作を行い、ステップＳ８０１へ戻る。
【００７９】
上記の構成に関し、その動作について図９を用いて説明する。図９は送信側の放送番組受信装置７００と受信側の放送番組受信装置１０２を接続したときのシーケンスの説明図である。
【００８０】
初期状態において、送信側の放送番組受信装置７００は稼動状態、受信側の放送番組受信装置１０２は電源ＯＦＦ状態にあるとする。
【００８１】
最初に、送信側の放送番組受信装置７００において、チャンネル操作Ａが行われたとする。この時、送信側の放送番組受信装置７００では、放送局情報作成部７０６において、機器操作受信部７０１が受信したチャンネル情報から放送局情報を作成し蓄積する。
【００８２】
次に、送信側の放送番組受信装置７００において、チャンネル操作Ｂが行われたとする。このとき、送信側の放送番組受信装置７００では、同様に放送局情報を作成し放送局情報を蓄積する。
【００８３】
その後、送信側の放送番組受信装置７００において、電源ＯＦＦの操作が行われた場合、機器操作受信部７０１において、電源状態管理部２０５に対して電源供給状態変更要求を送信すると同時に、放送局情報作成部７０６に対して放送局情報送信要求を送信する。電源状態管理部２０５は電源供給状態変更要求を受信すると受信表示部２０８への電源を遮断して待機状態へ変移させる。また、放送局情報作成部７０６は、放送局情報送信要求を受信すると蓄積された放送局情報を呼び出し、ネットワーク送信部２０７が放送局情報９０１として送信する。
【００８４】
この時、受信側の放送番組受信装置１０２は待機状態にあるので、実施の形態１と同様の動作を行い、送信側の放送番組受信装置７００より送信されたチャンネル情報をチャンネル管理部２０２に蓄積しておく。受信側の放送番組受信装置１０２は電源がＯＮの操作が行われ、稼動状態になった場合に、チャンネル管理部２０２に蓄積されているチャンネル情報に対応したチャンネルを表示する。
【００８５】
以降、送信側の放送番組受信装置７００において、チャンネル操作Ｃ、チャンネル操作Ｄが行われたとすると、送信側の放送番組受信装置７００では、その都度、放送局情報を作成し放送局情報を蓄積する。その後、電源ＯＦＦの操作が行われた場合に、最後に蓄積された放送局情報を放送局情報９０２として送信する。
【００８６】
このような実施の形態２によれば、送信側の放送局情報受信装置７００において、その電源供給状態が待機状態へ変化した場合に、作成された放送局情報を通信網を介して受信側の放送番組受信装置へ送信することができる。これにより、ユーザーが送信側の放送番組受信装置で視聴中だった放送番組を、電源ＯＦＦの操作をするだけで、別の部屋に設置された受信側の放送番組受信装置に対して自動的にチャンネル設定を行うことができ、電源ＯＮの操作を行うだけでそのまま同じ放送番組を視聴することができる。
【００８７】
なお、ユーザーが特定できる場合は、ユーザーごとに送信先の放送番組受信装置情報を持つテーブルを持ち、そのユーザー特定の放送番組受信装置に対してのみチャンネル情報を送信しても良い。
【００８８】
また、本実施の形態では、放送局情報をチャンネル変更がなされる度に作成したが、電源ＯＦＦの操作が行われた場合にのみ、作成するようにしてもよい。
【産業上の利用可能性】
【００８９】
放送局選択を行うことなく放送番組受信装置から他の放送番組受信装置へ簡単にチャンネルを取り次ぐ用途に適用できる。
【図面の簡単な説明】
【００９０】
【図１】本発明における放送番組受信システムの設置環境を示す図
【図２】本発明の実施の形態１における送信側の放送番組受信装置の構成を示すブロック図
【図３】同送信側の放送番組受信装置の動作を示すフローチャート
【図４】同受信側の放送番組受信装置の構成を示すブロック図
【図５】同受信側の放送番組受信装置の動作を示すフローチャート
【図６】同実施の形態における動作を示すシーケンス図
【図７】本発明の実施の形態２における送信側の放送番組受信装置の構成を示すブロック図
【図８】同送信側の放送番組受信装置の動作を示すフローチャート
【図９】同実施の形態２における動作を示すシーケンス図
【図１０】従来技術における放送番組受信装置の設置環境の概略図
【図１１】従来技術における放送番組受信装置の構成図
【符号の説明】
【００９１】
１０１、７００  送信側の放送番組受信装置
１０２  受信側の放送番組受信装置
１０３  通信網
２０１、７０１  機器操作受信部
２０２、４０２  チャンネル管理部
２０３  放送受信部
２０４  映像表示部
２０５、４０５  電源状態管理部
２０６、７０６  放送局情報作成部
２０７  ネットワーク送信部
２０８  受信表示部
２０９  アンテナ
４０６  放送局情報読取部
４０７  ネットワーク受信部
【図１】
2007096618.tif 000003
【図２】
2007096618.tif 000004
【図３】
2007096618.tif 000005
【図４】
2007096618.tif 000006
【図５】
2007096618.tif 000007
【図６】
2007096618.tif 000008
【図７】
2007096618.tif 000009
【図８】
2007096618.tif 000010
【図９】
2007096618.tif 000011
【図１０】
2007096618.tif 000012
【図１１】
2007096618.tif 000013